(57)【要約】  高オクタン価ガソリンを、軽質製油所オレフィン、および改質油などのベンゼン含有芳香族ストリームから製造するための方法。エチレンおよびプロピレンを含む軽質オレフィンは、製油所オフガスから、典型的には接触分解装置から、ベンゼンおよび他の単環芳香族化合物を含む改質油などの軽質芳香族ストリームに抽出される。これは、次いで、軽質オレフィンと反応されて、アルキル芳香族を含むガソリン沸点範囲生成物が形成される。アルキル化反応は、液相で、好ましくはゼオライトのＭＷＷ系のメンバー（ＭＣＭ−２２など）を含む触媒により、固定触媒床を用いて行われる。【選択図】図１
2008531820.tif 000002
【特許請求の範囲】
【請求項１】
エチレンおよびプロピレンを含む混合軽質オレフィン原料ストリームと、単環芳香族化合物を含む液体芳香族原料ストリームとから、ガソリン沸点範囲生成物を製造するための方法であって、
該方法は、エチレンおよびプロピレンを含む軽質オレフィンを、エチレンおよびプロピレンを含むオレフィンガスストリームから、ベンゼンを含む軽質芳香族炭化水素のストリームへ、溶解させることによって抽出する工程、および
ストリーム中の芳香族を、ストリームに溶解された抽出オレフィンと、固体モレキュラーシーブアルキル化触媒の固定床の上で、液相反応でアルキル化させて、アルキル芳香族を含むガソリン沸点範囲生成物を形成させる工程
を含むことを特徴とするガソリン沸点範囲生成物の製造方法。
【請求項２】
前記芳香族原料ストリームは、改質油を含むことを特徴とする請求項１に記載の方法。
【請求項３】
前記混合軽質オレフィン原料ストリームは、Ｃ２〜Ｃ４オレフィンを含むことを特徴とする請求項１に記載の方法。
【請求項４】
前記モレキュラーシーブアルキル化触媒は、ＭＷＷ系のゼオライトを含むことを特徴とする請求項１に記載の方法。
【請求項５】
ＭＣＭ−２２系の前記ゼオライトは、ＭＣＭ−２２を含むことを特徴とする請求項１に記載の方法。
【請求項６】
前記オレフィン原料ストリームは、芳香族原料ストリームと、触媒の存在下に、温度１５０℃〜２５０℃で反応されることを特徴とする請求項５に記載の方法。
【請求項７】
前記オレフィン原料ストリームは、芳香族原料ストリームと、触媒の存在下に、温度１５０℃〜２００℃で反応されることを特徴とする請求項６に記載の方法。
【請求項８】
前記芳香族原料ストリームは、ベンゼン５〜６０重量％を含む改質油ストリームであることを特徴とする請求項１に記載の方法。
【請求項９】
前記芳香族原料ストリームは、ベンゼン２５〜４０重量％を含むことを特徴とする請求項８に記載の方法。
【請求項１０】
前記オレフィン原料ストリームは、芳香族原料ストリームと、圧力３，０００ｋＰａｇ以下で反応されることを特徴とする請求項１に記載の方法。
【請求項１１】
エチレンおよびプロピレンを含む混合軽質オレフィン原料ストリームと、単環芳香族化合物を含む液体芳香族原料ストリームとから、ガソリン沸点範囲生成物を製造するための方法であって、
該方法は、エチレンおよびプロピレンを含む軽質オレフィンを、流動接触分解装置からのオフガスから、オレフィン原料ストリームを芳香族原料ストリームとの向流接触で、温度１２０℃以下および圧力７，５００ｋＰａｇ以下で抽出して、オレフィンを液体芳香族原料ストリームに溶解させる工程、および、
溶解された抽出オレフィンを含む液体芳香族原料ストリームを、アルキル化工程へ送り、そこでストリーム中の芳香族を、ストリーム中に溶解された抽出オレフィンと、固体モレキュラーシーブアルキル化触媒の固定床の上で、１２０〜２５０℃の温度および７，５００ｋＰａｇ以下の圧力で、液相反応でアルキル化させて、アルキル芳香族を含むガソリン沸点範囲生成物を形成させる工程
を含むことを特徴とするガソリン沸点範囲生成物の製造方法。
【請求項１２】
前記ガソリン沸点範囲生成物は、Ｃ５＋〜２００℃の範囲の沸点範囲を有することを特徴とする請求項１１に記載の方法。
【請求項１３】
前記モレキュラーシーブ触媒は、ＭＷＷ系のゼオライトを含むことを特徴とする請求項１１に記載の方法。
【請求項１４】
前記ＭＷＷ系のゼオライトは、ＭＣＭ−２２を含むことを特徴とする請求項１３に記載の方法。
【請求項１５】
前記芳香族原料ストリームは、ベンゼン５〜６０重量％を含む改質油ストリームを含むことを特徴とする請求項１に記載の方法。
【請求項１６】
前記芳香族原料ストリームは、ベンゼン２５〜４０重量％を含むことを特徴とする請求項１５に記載の方法。
【請求項１７】
前記オレフィン原料ストリームは、芳香族原料ストリームと、圧力３，０００ｋＰａｇ以下で反応されることを特徴とする請求項１に記載の方法。
【発明の詳細な説明】
【技術分野】
【０００１】
本発明は、ガソリン沸点範囲モーター燃料を、軽質オレフィンと芳香族炭化水素との液相反応によって製造するための方法に関する。
【関連出願の相互参照】
【０００２】
この出願は、米国仮特許出願第６０／６５６，９４６号明細書（「液相芳香族アルキル化プロセス（Ｌｉｑｕｉｄ  Ｐｈａｓｅ  Ａｒｏｍａｔｉｃｓ  Ａｌｋｙｌａｔｉｏｎ  Ｐｒｏｃｅｓｓ）」、２００５年２月２８日出願）を優先権主張するものである。
【０００３】
この出願は、同日出願の同時係属米国特許出願第      号明細書、同時係属米国特許出願第      号明細書、同時係属米国特許出願第      号明細書、および同時係属米国特許出願第      号明細書に関連する。これはそれぞれ、米国仮特許出願第６０／６５６，９５４号明細書（「オレフィンの重合によるガソリンの製造（Ｇａｓｏｌｉｎｅ  Ｐｒｏｄｕｃｔｉｏｎ  Ｂｙ  Ｏｌｅｆｉｎ  Ｐｏｌｙｍｅｒｉｚａｔｉｏｎ）」、２００５年２月２８日出願）、米国仮特許出願第６０／６５６，９５５号明細書（「ベンゼン含有量が低減された高オクタン価ガソリンの製造プロセス（Ｐｒｏｃｅｓｓ  ｆｏｒ  Ｍａｋｉｎｇ  Ｈｉｇｈ  Ｏｃｔａｎｅ  Ｇａｓｏｌｉｎｅ  ｗｉｔｈ  Ｒｅｄｕｃｅｄ  Ｂｅｎｚｅｎｅ  Ｃｏｎｔｅｎｔ）」、２００５年２月２８日出願）、米国仮特許出願第６０／６５６，９４５号明細書（「気相芳香族アルキル化プロセス（Ｌｉｑｕｉｄ  Ｐｈａｓｅ  Ａｒｏｍａｔｉｃｓ  Ａｌｋｙｌａｔｉｏｎ  Ｐｒｏｃｅｓｓ）」、２００５年２月２８日出願）、および米国仮特許出願第６０／６５６，９４７号明細書（「オレフィンの品質向上プロセス（Ｏｌｅｆｉｎｓ  Ｕｐｇｒａｄｉｎｇ  Ｐｒｏｃｅｓｓ）」、２００５年２月２８日出願）を優先権主張するものである。それらがこの出願に引用される際には、上記の出願が、次に記載される組み合わされた統合された方法をさらに詳述するのに引用される。
【背景技術】
【０００４】
近年、環境法制により、石油モーター燃料に許容可能なベンゼンの量が制限されている。これらの規制は、製油所の運転に、実質的な変化をもたらしている。これらの規制にしたがって、いくつかの製油所は、Ｃ６化合物を、改質装置の原料から排除して、そのためにベンゼンの製造が、直接に回避されている。別の提案は、ベンゼンを、それが形成された後に、スルホランプロセスまたはＵＤＥＸプロセスなどの芳香族抽出プロセスによって、改質油から除去することである。石油化学プラントに付随される芳香族抽出装置と良好に統合された製油所は、通常、抽出されたベンゼンを石油化学用途へ転用することによって、ベンゼンの制限に適合する能力を有する。しかし、製油所のベンゼン規格を、石油化学の設備能力なしに満足することは、より困難である。抽出されたベンゼンを、製品として、石油化学製品の購買者へ販売することは、しばしば任意であるものの、それは、より多くの価値をそれに加えるであろう製造者にとって、生成物を失うという欠点を有する。いくつかの場合には、輸送は、有害物質として分類される化学物質のバルク出荷を取扱うという点で、それ自体の問題を示してもよい。
【０００５】
ベンゼンの除去は、しかし、生成物のオクタン価品質の減少を伴う。何故なら、ベンゼンおよび他の単環芳香族は、生成物のオクタン価に対して正の寄与を為すことからである。あるプロセスは、芳香族含有製油所ストリーム中のベンゼンを、トルエンおよびエチルベンゼンなどのより毒性の少ないアルキル芳香族へ転化することを提案されている。これは、それ自体、高オクタン価の混合成分として望ましい。このタイプの一プロセスは、モービルベンゼン低減（ＭＢＲ）プロセスであった。これは、密接に関連するＭＯＧプロセスのように、流動化ゼオライト触媒を、ライザー反応器内で用いて、改質油中のベンゼンがアルキル化され、トルエンなどのアルキル芳香族が形成された。ＭＢＲおよびＭＯＧプロセスは、（特許文献１）、（特許文献２）、（特許文献３）、および（特許文献４）に記載される。
【０００６】
石油化学の原料材のための好都合な出力がない石油製油所に面する他の問題は、過剰な軽質オレフィンの問題である。１９３０年代初頭の石油精製における接触分解プロセスの導入に続いて、多量のオレフィン、特にエチレン、プロピレン、ブチレンなどの軽質オレフィンが、製油所の接触分解プラントから、おびただしい量で入手可能になった。これらのオレフィンは、極めて、石油化学原料材として有用であるものの、石油化学の設備能力がないか、またはこれらのオレフィンに対する経済的に魅力的かつ好都合な市場がない製油所は、過剰な軽質オレフィンを、実質的な経済的な損失の下に燃料ガスで使用するか、または別に、オレフィンを、市場性の高い液体生成物へ転化しなければならないであろう。液体モーター燃料を、分解のオフガスから製造するための多数の異なる重合プロセスが、接触分解プロセスの出現に続いて開発された。しかし、現在では、固体リン酸［ＳＰＡ］重合プロセスが、モーターガソリンを製造するための最も重要な製油所重合プロセスとして残っている。このプロセスは、しかし、それ自体の欠点を有する。第一に、原料の水含有量を、厳密に制御することが必要である点である。何故なら、限定された水含有量が触媒活性に必要とされるものの、触媒は、過剰な水の存在下には軟化し、そのために反応器が、固形の石様物質（ドリリングまたは他の困難な操作なしに除去することが困難である）によって閉塞してもよいからである。逆に、原料が、乾燥し過ぎている場合には、コークが、触媒上に析出し易く、その活性が減少され、かつ反応器を横切る圧力損失が増大される。環境規制はまた、これらの統合されていない製油所からの分解オレフィンの廃棄に影響を及ぼしている。何故なら、モーターガソリンの許容可能な蒸気圧（通常、リード蒸気圧（ＲＶＰ）として測定される）が、特に燃料の揮発性の問題が最も注目される夏のドライブシーズンに、制限されるからである。これは、潜在的には、さらなるオレフィン利用の設備能力の必要性をもたらす。
【０００７】
ベンゼンまたは過剰な軽質オレフィンに対して、それら自身の石油化学プラントまたは用意された市場を有しない製油所は、したがって、二つの異なる方向からの問題に直面する。これらのプラントについては、過剰なオレフィン、およびベンゼンが、市場性の高い生成物へ転化されることを可能にするであろうプロセスが望まれるであろう。
【０００８】
流動床ＭＢＲプロセスは、形状選択性メタロシリケート触媒、好ましくはＺＳＭ−５を用いて、ベンゼンが、アルキル芳香族へ転化される。これは、ＦＣＣまたはコーカーの燃料ガス、過剰のＬＰＧ、もしくは軽質ＦＣＣナフサなどの素材からのオレフィンを用いる。通常、ＭＢＲプロセスは、ベンゼンに対するアルキル化剤としての軽質オレフィンに基づいて、アルキル芳香族（特にＣ７〜Ｃ８範囲）が製造される。ベンゼンは、転化され、軽質オレフィンはまた、オクタン価の増大と同時に、ガソリンへ品質向上される。軽質ＦＣＣナフサオレフィンの転化はまた、ガソリンのオレフィン含有量および蒸気圧の実質的な減少をもたらす。ＭＢＲの収率−オクタン価の向上は、それを、数少ないガソリン再処方プロセス（実際に、石油精製においては経済的に好都合である）の一つにする。
【０００９】
ＭＯＧプロセスのように、しかし、ＭＢＲプロセスは、かなりの設備投資を必要とし、その要因から、その広範な用途は、厳しい精製の粗利の時代には好都合でなかった。ＭＢＲプロセスはまた、より高い温度を用い、Ｃ５＋収率およびオクタン価は、ある場合には、広範な使用に好都合でない他の要因に悪影響を及ぼされることができた。他の製油所プロセスはまた、過剰な製油所オレフィン、およびガソリンの問題を取扱うことを提案している。すなわち、この種のプロセスは、しばしば、ベンゼンを、オレフィン、またはメタノールなどの他のアルキル化剤でアルキル化することによって機能して、毒性がより少ないアルキル芳香族前駆体が形成されている。この種の例示的プロセスは、（特許文献５）、（特許文献６）、（特許文献７）、（特許文献８）、（特許文献９）、（特許文献１０）、および（特許文献１１）に記載される。
【００１０】
これらの知られたプロセスは、技術的に魅力的であるものの、それらは、ＭＯＧおよびＭＢＲプロセスのように、多かれ少なかれ、いくらかの設備投資を必要とするという欠点に直面している。その要因から、現環境では、それらは、強度に妨げられる。
【００１１】
これらの理由から、比較的低い設備コストで設備化されることができ、かつベンゼン（または他の芳香族）をオレフィンでアルキル化する設備能力を有する製油所プロセスは、ガソリンのベンゼン規格を満足し、モーター燃料の容積を高オクタン価のアルキル芳香族化合物により増大し、現プラントの設備環境で経済的に許容可能であるのに好都合であろう。いくつかの製油所については、Ｃ２／Ｃ３オレフィンの反応除去は、燃料ガスの能力限界を緩和することができた。これらのプロセスは、次を為すであろう。すなわち、
Ｃ２およびＣ３オレフィンを、燃料ガスから高オクタン価混合ガソリンへ品質向上すること、
製油所運転の柔軟性を増大して、ガソリン混合プール中のベンゼン含有量が制御されること、
ベンゼン問題を有する製油所が、Ｃ６成分（低い混合オクタン価）を改質装置へ供給することを可能にし、改質装置からの水素製造および混合プールのオクタン価の両方が増大され、改質装置で製造されるベンゼンは、除去されて、ガソリン生成物の規格が満足されるであろうこと、および
オレフィンを燃料ガスから除去することによって、燃料系設備の能力が増大される可能性を有し、いくつかの製油所については、この利点は、いくつかのキーとなる製油所プロセス（ＦＣＣ、水素化分解装置、コーカー等）における過酷度の増大を可能にすることができること
である。
【００１２】
資本コストを低く維持することの必要性は、明らかに、ＭＯＧおよびＭＢＲなどの流動床タイプの運転より、固定床接触装置に好都合である。固定床の芳香族アルキル化プロセスは、商業規模での使用を、石油化学分野において達成している。モービルオイル社（Ｍｏｂｉｌ  Ｏｉｌ  Ｃｏｒｐｏｒａｔｉｏｎ）によって最初に使用許諾され、現在はエクソンモービル化学社（ＥｘｘｏｎＭｏｂｉｌ  Ｃｈｅｍｉｃａｌ  Ｃｏｍｐａｎｙ）によって使用許諾されるクメンプロセス（Ｃｕｍｅｎｅ  Ｐｒｏｃｅｓｓ）は、低設備コストのプロセスである。これは、固定床のゼオライトアルキル化／アルキル交換触媒を用いて、製油所プロピレンがベンゼンと反応され、石油化学グレードのクメンが製造される。種々のモレキュラーシーブ触媒を用いるクメン製造のためのプロセスは、特許文献に記載される。例えば、（特許文献１２）は、石油化学クメンを、固定床のＺＳＭ−１２触媒を用いて、製油所ベンゼンおよびプロピレンから製造するためのプロセスを記載する。（特許文献１３）および（特許文献１４）はまた、クメンを、ＺＳＭ−１２触媒を用いて、製油所ベンゼンおよびプロピレンから製造するプロセスを記載する。クメン製造のために他のモレキュラーシーブ触媒を用いることは、他の特許に記載されている。すなわち、（特許文献１５）は、ゼオライトベータ触媒を用いることを記載し、（特許文献１６）は、シーブ物質ＳＳＺ−２５を含む触媒を用いることを記載し、（特許文献１７）は、シーブ物質ＭＣＭ−４９を含む触媒を、ベンゼンによるジイソプロピルベンゼンのアルキル交換で用いることを記載し、（特許文献１８）は、シーブ物質ＭＣＭ−３６を含む触媒を用いて、キシレン５００ｐｐｍ未満を含む石油化学グレードのクメンが製造されることを記載する。
【００１３】
上記に引用されるものなどの石油化学アルキル化プロセスは、石油化学の設備能力なしに、直接に、石油製油所で用いるのに役立たない。何故なら、それらは、純粋な原料を必要とし、その生成物は、燃料の製造で必要とされるより、はるかに純粋であるからである。加えて、他の問題が、統合されていない小中サイズの製油所での使用に対して魅力的であるモーターガソリンの製造プロセスを考案することに関連して生じる場合がある。一つのこれらの問題は、分解装置からのオレフィンである。これは、より高級なオレフィンに加えて、エチレンおよびプロピレンを含む。いかなるプロセスも、経済的に魅力的である場合には、それが、最も軽質のオレフィンの両方を消費することが必要である。プロピレンは、エチレンより反応性があり、エチレンが反応して（アルキル交換または不均化により）エチルベンゼンまたはキシレンを形成するであろうより低い温度でベンゼンと反応することによって、クメンを形成するであろう。この理由により、既存のプロセス技術では、ＦＣＣＵからの混合オレフィン原料を用いて、エチレンおよびプロピレンをプロセス内で同等に用いることは可能でない。改良されたエチレンの使用は、原則として、より高温の運転によって達成されることができるであろうものの、プロピレン／ベンゼン反応の熱力学的平衡は、約２６０℃（５００゜Ｆ）超の温度で、クメンから離れて転じ、結果的にこの生成物を減損する。
【００１４】
同時係属中の（特許文献１９）（米国仮特許出願第６０／６５６，９４５号明細書「気相芳香族アルキル化プロセス」の優先権を主張する）においては、ベンゼンを含む軽質製油所芳香族ストリームを、ＦＣＣ不飽和ガスプラント（ＵＳＧＰ）からの軽質オレフィン（エチレン、プロピレン）でアルキル化するためのプロセスが記載される。その出願に記載されるプロセスは、エチレンおよびプロピレンの異なる反応性を、二つの異なる触媒により、オレフィンにそれぞれ適した条件下で反応させることによって用いるという目的を有する。このように、エチレンおよびプロピレンの両者の転化は、確実なベンゼンの転化により最適化される。そのプロセスは、気相で、約３５０℃（約６６０゜Ｆ）の高い温度で作動する。これにより、より低い温度で作動することができるプロセスに比べて、いくらかの余分の経済的な不利益が課せられる。加えて、気相運転に伴うより大きな容積は、より小さな容積の既存装置（このプロセスへ転換される）の装置能力を限定させてもよい。したがって、より密な液相で、低温で作動するプロセスを提供することが望ましいであろう。
【００１５】
【特許文献１】米国特許第４，８２７，０６９号明細書
【特許文献２】米国特許第４，９５０，３８７号明細書
【特許文献３】米国特許第４，９９２，６０７号明細書
【特許文献４】米国特許第４，７４６，７６２号明細書
【特許文献５】米国特許第４，９５０，８２３号明細書
【特許文献６】米国特許第４，９７５，１７９号明細書
【特許文献７】米国特許第５，４１４，１７２号明細書
【特許文献８】米国特許第５，５４５，７８８号明細書
【特許文献９】米国特許第５，３３６，８２０号明細書
【特許文献１０】米国特許第５，４９１，２７０号明細書
【特許文献１１】米国特許第５，８６５，９８６号明細書
【特許文献１２】米国特許第３，７５５，４８３号明細書
【特許文献１３】米国特許第４，３９３，２６２号明細書
【特許文献１４】米国特許第      号明細書
【特許文献１５】米国特許第４，８９１，４５８号明細書
【特許文献１６】米国特許第５，１４９，８９４号明細書
【特許文献１７】米国特許第５，３７１，３１０号明細書
【特許文献１８】米国特許第５，２５８，５６５号明細書
【特許文献１９】米国特許出願第      号明細書
【特許文献２０】米国特許第４，９５４，３２５号明細書
【特許文献２１】米国特許第５，２５０，７７７号明細書
【特許文献２２】米国特許第５，２８４，６４３号明細書
【特許文献２３】米国特許第５，３８２，７４２号明細書
【特許文献２４】米国特許第５，２３６，５７５号明細書
【特許文献２５】米国特許第５，２２９，３４１号明細書
【特許文献２６】米国特許第５，３６２，６９７号明細書
【特許文献２７】米国特許第４９９２６０６号明細書
【特許文献２８】米国特許第３，７５１，５０４号明細書
【特許文献２９】米国特許第４，５４７，６０５号明細書
【特許文献３０】米国特許第４，０１６，２１８号明細書
【特許文献３１】米国特許第４，９６２，２５６号明細書
【特許文献３２】米国特許第４，９９２，６０６号明細書
【特許文献３３】米国特許第４，９５４，６６３号明細書
【特許文献３４】米国特許第５，００１，２９５号明細書
【特許文献３５】米国特許第５，０４３，５０１号明細書
【特許文献３６】米国特許第５，３３４，７９５号明細書
【特許文献３７】米国特許第４，９０８，１２０号明細書
【特許文献３８】米国特許第４，５８２，８１５号明細書
【非特許文献１】レオノビッツ（Ｌｅｏｎｏｖｉｃｚ）ら著「Ｓｃｉｅｎｃｅ」（第２６４号、第１９１０〜１９１３頁、１９９４年）
【非特許文献２】ロボ（Ｌｏｂｏ）ら著「ＡＩＣｈＥ年次総会（ＡＩＣｈＥ  Ａｎｎｕａｌ  Ｍｅｅｔｉｎｇ）１９９９年」（論文２９２Ｊ）
【非特許文献３】ブレック（Ｂｒｅｃｋ）著「ゼオライトモレキュラーシーブ（Ｚｅｏｌｉｔｅ  Ｍｏｌｅｃｕｌａｒ  Ｓｉｅｖｅｓ）」（特に第８章、１９７４年）
【非特許文献４】アンダーソン（Ａｎｄｅｒｓｏｎ）ら著「Ｊ．Ｃａｔａｌｙｓｉｓ」（第５８巻，第１１４頁、１９７９年）
【非特許文献５】「Ｊ．Ｃａｔａｌｙｓｉｓ」（第ＶＩ巻、第２７８〜２８７頁、１９６６年）
【発明の開示】
【課題を解決するための手段】
【００１６】
ここで、分解装置（ＦＣＣＵ）からの軽質製油所オレフィンが、製油所素材からのベンゼンをアルキル化してガソリン沸点範囲生成物が製造されるのに用いられることを可能にする方法が考案された。該方法は、不飽和ガスプラント（ＵＳＧＰ）からの混合オレフィン原料中に存在するエチレンおよびプロピレンの両者を良好に用い、一方これらの両オレフィンを用いるのに好ましい条件下で運転される。したがって、本方法は、製油所が、ガソリンのベンゼン規格にしたがい、一方ＦＣＣＵからの混合オレフィンを良好に利用することを可能にする。該方法は、ほんの限定された資本支出を必要とする固定床プロセスとして運転され、したがって小中サイズの製油所で実施するのに、極めて適切である。事実、比較的低圧法であることから、それは、既存の低圧装置において、最小量の修正で運転されてもよい。
【００１７】
本発明にしたがって、エチレンおよびプロピレンを含む軽質オレフィンは、ＦＣＣＵのオフガスから、ベンゼンまたは他の単環芳香族化合物（例えば、キシレン）を含む改質油などの軽質芳香族ストリームを抽出剤として用いて抽出される。溶解されたオレフィンの溶液は、次いで、固定床反応器へ送られ、そこでストリーム中の芳香族は、オレフィンと、液相反応でアルキル化されて、アルキル芳香族を含むガソリン沸点範囲［Ｃ５＋〜２００℃］［Ｃ５＋〜４００゜Ｆ］の生成物が製造される。反応は、ゼオライトのＭＷＷ系のものを含む触媒の存在下に行われる。
【発明を実施するための最良の形態】
【００１８】
プロセスの形態
オレフィンアルキル化装置の概略図を、図１に簡易形態で示す。流動接触分解装置（ＦＣＣＵ）からのオフガスのストリームは、軽質混合オレフィン、典型的にはＣ２およびＣ３オレフィン（エチレンおよびプロピレン）を、Ｃ４オレフィンおよびパラフィン、同様に軽質パラフィン（メタン、エタン、プロパン）と共に含むが、これは、ライン１１を通って吸収装置１０に導かれ、そこでそれは、ライン１２を通って入るベンゼンを含む軽質芳香族ストリームと接触される。吸収装置においては、液体芳香族ストリームは、オレフィンを、ＦＣＣのオフガスから選択的に収着する。芳香族ストリームによって収着されないＦＣＣのオフガス中の成分、主に軽質パラフィンのメタン、エタン、プロパン、およびブタンは、ライン１３を通って吸収装置から送出され、製油所燃料ガスとして用いられることができる。混合オレフィン／ベンゼン供給物は、加熱器１４へ、次いで保護床反応器１５ａへ送られる。保護床は、二つの床（１５ａ、１５ｂ）を用いるスイングサイクルで運転されてもよく、一方の床は、汚染物除去のために通油で用いられ、他方は、従来の方法での再生で用いられる。所望により、三床の保護床系が用いられてもよく、二つの床が、直列で、汚染物の除去に用いられ、第三の床が再生に用いられる。低い汚染物レベルを二段直列の収着によって達成するのに用いられる三床保護系により、床は、三工程サイクル（再生、第二の床の収着、第一の床の収着）を逐次に経るであろう。
【００１９】
保護床から、オレフィンおよび改質油の反応混合物は、アルキル化反応器２０へ送られ、そこで混合オレフィン原料は、ベンゼンおよび他の単環芳香族と、アルキル化触媒の固定床により反応されて、所望のアルキル芳香族生成物が形成される。アルキレート生成物は、ライン２１を通って分留装置２２へ送られ、そこでそれは、アルキル化反応からの軽質エンド（主に軽質パラフィン副生物）、およびガソリン沸点範囲の所望のアルキル芳香族留分に分離される。
【００２０】
アルキル化反応は、液相で、比較的穏やかな温度で行われ、希釈またはクウェンチは、通常、熱放出を処するのに必要とされない。したがって、装置は簡単であり、反応器を通して送られる希釈材なしに、反応器能力の完全な使用が達成される。この反応工程に好ましい種類のアルキル化触媒は、次に記載されるように、ＭＷＷゼオライトに基づく。
【００２１】
保護床で用いられる触媒は、通常、運転の便宜上、アルキル化反応器で用いられると同じ触媒であろう。しかし、これは、必要とされない。すなわち、所望により、汚染物を原料から除去するための他の触媒または収着剤が、用いられてもよい。典型的には、より安価な保護床収着剤（例えば、他のプロセスからの使用済み触媒、またはアルミナ収着剤）である。保護床の目的は、汚染物を、原料が反応触媒に来る前に原料から除去することである。これが達成される条件で、保護床触媒およびこの終了に有用な条件に関して、幅広い種類の選択がある。
【００２２】
オレフィン原料
本方法の原料として用いられる軽質オレフィンは、通常、石油原料材を接触分解して、ガソリンが主生成物として製造されることによって得られる。接触分解プロセス（通常、流動接触分解（ＦＣＣ）の形態にある）は、十分に確立されており、周知のように、大量の軽質オレフィン、同様にオレフィン質ガソリン、およびサイクル油などの副生成物（それ自体、さらなる精製運転に付される）を製造する。本方法で主として有用なオレフィンは、エチレン〜ブテンのより軽質なオレフィンである。すなわち、オクテン未満のより重質のオレフィンはまた、処理の際に含まれてもよいものの、それらは、一般に、ガソリン生成物中に直接に組込まれることができ、その際それらは、オクタン価に対して価値のある寄与を為す。本方法は、それが、ブテンおよびプロピレンのみでなく、エチレンを用いても容易に作動し、したがってこの分解副生成物を、所望のガソリン生成物へ転化するための価値のある方法を提供するという点で、非常に有利である。この理由から、同様に製油所における大量なそれらの容易な入手可能性から、ＦＣＣのオフガスストリームなどの混合オレフィンストリーム（典型的には、エチレン、プロピレン、およびブテンを含む）が用いられてもよい。分解プロセスからのＣ３およびＣ４オレフィン留分の転化は、沸点およびオクタン価の観点から、ガソリンにとって極めて望ましい分枝鎖Ｃ６、Ｃ７、およびＣ８生成物への直接的な経路を提供する。ＦＣＣ装置のほかに、混合オレフィンストリームは、コーカー、ビスブレーキング装置、および熱分解装置を含む他のプロセスから得られてもよい。これらのストリームのいくつかに見出されてもよいジオレフィンの存在は、不利ではない。何故なら、ゼオライトのＭＷＷ系の触媒は、多くの従来のゼオライトのようなその内部の細孔構造内よりむしろ、表面部位で起こり、そのために細孔の閉塞は、触媒的にあまり問題でないからである。プロセス条件を適切に調整することにより、エチレン（通常、その直接の同族体よりあまり反応性でない）が原料中に含まれる場合には、共縮合生成物が生成されることが可能にされるであろう。二つの典型的なＦＣＣガスストリームの組成を、次の表１および表２に示す。表１は、軽質ＦＣＣガスストリームを示し、表２は、エチレンが、製油所燃料システムで用いるためのガスプラントにおいて、除去されているストリームである。
【００２３】
【表１】
2008531820.tif 000003
【００２４】
【表２】
2008531820.tif 000004
【００２５】
本方法で用いられる触媒は、頑強であるものの、それらは、ある汚染物（従来のゼオライト不活性化剤）、特に塩基性窒素を有する有機化合物、同様に硫黄含有有機物に対して敏感である。したがって、これらの物質を、長期の触媒寿命が期待されるべきである場合には、装置に入る前に除去することが好ましい。カセイアルカリ、ＭＥＡ、もしくは他のアミン、または水性洗浄液などの汚染物除去洗浄剤を用いて洗浄することにより、通常、硫黄レベルが、許容可能なレベル約１０〜２０ｐｐｍｗへ、および窒素が、それが容易に許容可能であることができる痕跡レベルへ低減されるであろう。本方法について一つの魅力的な特徴は、それが、水に対して過度に敏感ではなく、反応器に入ってくる水を制御することが、それがＳＰＡ装置内にあるより必要とされないことである。ＳＰＡとは違って、ゼオライト触媒は、活性を維持するのに水の存在を必要とせず、したがって原料は、装置に入る前に乾燥されてもよい。従来のＳＰＡ装置においては、水含有量は、典型的には、適切な活性のために３００〜５００ｐｐｍｗで維持されるのに、一方同時に触媒の完全性が維持されるのに必要である。本ゼオライト触媒は、しかし、約８００ｐｐｍｗ超のレベルが、活性を低減してもよいものの、温度により、約１，０００ｐｐｍｗ未満の水を容易に許容してもよい。
【００２６】
芳香族原料
軽質オレフィン原料に加えて、ベンゼンを含む芳香族ストリームが、上記されるように、プロセスに供給される。このストリームは、トルエン、エチルベンゼン、プロピルベンゼン（クメン）、およびキシレンなどのアルキル芳香族を含む他の単環芳香族化合物を含んでもよい。付随される石油化学の設備能力を有する精油所においては、これらのアルキル芳香族は、通常、化学物質としてのより高い価値の使用のために除去されるであろう。または、別に、これは、そのような使用のために別々に販売されてもよい。それらは、既に、ベンゼンより毒性が少ないとみなされることから、芳香族原料ストリーム中にそれらが包含されることに対して環境要求はない。しかし等しく、条件が、ガソリン範囲外にあるか、またはガソリン中に望ましくないより高級のアルキル芳香族（例えば、デュレン）の生成をもたらさない限り、その存在に対する不利益はない。このストリーム中のベンゼンの量は、主に、その素材および処理履歴によって支配される。しかし、殆どの場合には、最小でもベンゼン１２体積％が、より典型的であり、より特定的には約２０体積％〜６０体積％であるものの、典型的には、ベンゼン少なくとも約５体積％を含むであろう。通常、このストリームの主な素材は、改質装置からのストリームであろう。これは、軽質芳香族の簡易素材である。改質油ストリームは、全範囲改質油、軽質カット改質油、重質改質油、またはハートカット改質油であってもよい。これらの留分は、典型的には、より少量のより軽質の炭化水素（典型的には、Ｃ５およびより低級の炭化水素約１０％未満）、および少量のより重質の炭化水素（典型的には、Ｃ７＋炭化水素約１５％未満）を含む。これらの改質油原料は、通常改質前に脱硫に付されていることから、通常、非常に少量の硫黄を含む。そのために、本方法で形成されて得られるガソリン生成物は、現在の硫黄規格にしたがうのに、許容可能な低レベルの硫黄を含む。
【００２７】
改質油ストリームは、典型的には、固定床、スイング床、または移動床の改質装置から来るであろう。最も有用な改質油留分は、ハートカット改質油である。これは、好ましくは、狭沸点範囲を有する改質油である。すなわち、Ｃ６またはＣ６／Ｃ７留分である。この留分は、脱ペンタン装置のカラムから下流の脱ヘキサン装置のカラムのオーバーヘッドとして回収される炭化水素の複合混合物である。組成は、多数の要因によって、範囲に亘って異なるであろう。これには、改質装置における運転の過酷度、および改質装置の原料の組成が含まれる。これらのストリームは、通常、脱ペンタン装置および脱ブタン装置で除去されるＣ５、Ｃ４、およびより低級の炭化水素を有するであろう。したがって、通常、ハートカット改質油は、Ｃ６炭化水素（芳香族および非芳香族）少なくとも７０重量％、好ましくはＣ６炭化水素少なくとも９０重量％を含むであろう。
【００２８】
芳香族のベンゼンリッチ原料の他の素材には、軽質ＦＣＣナフサ、コーカーナフサ、または熱分解ガソリンが含まれる。しかし、芳香族のこれらの他の素材は、通常の精油所運転では、あまり重要または有意でないであろう。
【００２９】
沸点範囲によって、これらのベンゼンリッチ留分は、通常、約１２０℃（２５０°Ｆ）の終点、好ましくは約１１０℃（２３０°Ｆ）以下の終点によって特徴付けられることができる。好ましくは、沸点範囲は、４０℃〜１００℃（１００°Ｆ〜２１２°Ｆ）に入る。より好ましくは６５℃〜９５℃（１５０°Ｆ〜２００°Ｆ）の範囲、さらにより好ましくは７０℃〜９５℃（１６０°Ｆ〜２００°Ｆ）の範囲である。
【００３０】
二つの典型的なハートカット改質油ストリームの組成を、次の表２および３に示す。表３に示される改質油は、比較的よりパラフィン質のカットであるが、それにも係らず、表２のカットより多いベンゼンを含むものである。それを、本アルキル化プロセスに対する非常に適切な基体にする。
【００３１】
【表３】
2008531820.tif 000005
【００３２】
【表４】
2008531820.tif 000006
【００３３】
改質油ストリームは、固定床、スイング床、または移動床の改質装置から来るであろう。最も有用な改質油留分は、ハートカット改質油である。これは、好ましくは、狭沸点範囲を有する改質油である。すなわち、Ｃ６またはＣ６／Ｃ７留分である。この留分は、脱ペンタン装置のカラムから下流の脱ヘキサン装置のカラムのオーバーヘッドとして回収される炭化水素の複合混合物である。組成は、多数の要因によって、範囲に亘って異なるであろう。これには、改質装置における運転の過酷度、および改質装置の原料の組成が含まれる。これらのストリームは、通常、脱ペンタン装置および脱ブタン装置で除去されるＣ５、Ｃ４、およびより低級の炭化水素を有するであろう。したがって、通常、ハートカット改質油は、Ｃ６炭化水素少なくとも７０重量％、好ましくはＣ６炭化水素少なくとも９０重量％を含んでもよい。
【００３４】
芳香族のベンゼンリッチ原料の他の素材には、軽質ＦＣＣナフサ、コーカーナフサ、または熱分解ガソリンが含まれる。しかし、芳香族のこれらの他の素材は、通常の精油所運転では、あまり重要または有意でないであろう。
【００３５】
沸点範囲によって、これらのベンゼンリッチ留分は、通常、約１２０℃（２５０°Ｆ）の終点、好ましくは約１１０℃（２３０°Ｆ）以下の終点によって特徴付けられることができる。殆どの場合には、沸点範囲は、４０℃〜１００℃（１００°Ｆ〜２１２°Ｆ）に入り、通常、６５℃〜９５℃（１５０°Ｆ〜２００°Ｆ）の範囲、殆どの場合には７０℃〜９５℃（１６０°Ｆ〜２００°Ｆ）の範囲である。
【００３６】
吸収装置
芳香族原料および軽質オレフィンは、吸収装置において互いに接触して送られる。二つの原料の接触は、軽質オレフィンが液体芳香族ストリームに収着されることを促進するように行われる。吸収装置は、典型的には、気／液接触塔である。これは、従来、その内部を互いに通る二層間で、良好な交換を達成するように設計される。これらの塔は、通常、向流の原料流れで作動し、液体は、塔の頂部でリーン溶剤として、その入口から重力によって下方へ送られ、一方ガスは、塔の底部で導入されて、層間の交換を促進するような内部の塔配置（例えば、溝付きトレイ、泡鐘トレイ、構造化パッキング、または他の従来の手段）により、下降する液体と接触して上方へ送られる。収着されたオレフィンを含むリッチ溶剤は、塔の底部から出て、アルキル化反応器に送られる。
【００３７】
オレフィンが芳香族ストリームによって収着される程度は、主に、接触温度および圧力、芳香族ストリーム／オレフィン容積比、二つのストリームの組成、および接触塔の効率によるであろう。一般に、液体原料ストリームによるオレフィンの収着は、より低い温度、より高い圧力、およびより高い液体：オレフィン比によって促進されるであろう。液体ストリームへのオレフィン回収率に対する温度および圧力の効果を、次の表４に簡単に示す。
【００３８】
【表５】
2008531820.tif 000007
【００３９】
したがって、上記のものに類似の吸収装置の運転温度および圧力（例えば、温度約１００℃または１２０℃未満、圧力約３５００ｋＰａｇ未満（例えば約２０００ｋＰａｇ未満））で、オレフィンの回収率５０〜９０パーセントが、従来の効率の接触装置で期待されることができる。より重質のオレフィンの収着は、殆ど芳香族ストリームで促進され、そのために吸収装置を出る軽質ガスは、比較的、これらの成分に富むであろう。同時係属中の（特許文献１９）（米国仮特許出願第６０／６５６，９４５号明細書（「気相アルキル化プロセス」）の優先権を主張する）に示されるように、プロピレンは、より低温での芳香族アルキル化に対して、エチレンより活性があり、この理由で、プロピレン成分の優先的な収着は、比較的緩やかな条件下で行われる次の液相アルキル化反応に対して好ましい。吸収装置の運転に選択される条件は、したがって、アルキル化反応器へのオレフィンおよび芳香族ストリームの比率に影響を及ぼすであろう。達成される比率は、選択される反応条件下で、芳香族原料中のベンゼンが消費されるのに十分なオレフィンがあるように選択されるべきである。通常、アルキル化工程に必要とされるオレフィン／芳香族比は、０．５：１〜２：１（以下を参照されたい）の範囲にあろうし、吸収装置の条件は、経験的に決定されて、所望の比率が達成されるべきである。
【００４０】
吸収装置から出る未収着オレフィンは、主として、より軽質のオレフィン（主にエチレン）からなるであろう。これは、別のより高温のアルキル化工程（気相で行われる）で用いられることができる。図２に、これを行うための簡略化プロセス概略図を示す。配置は、図１のそれに類似であり、同じ要素は、同じ参照番号によって識別される。図２の場合においては、しかし、吸収装置からの未収着オレフィン流出物は、ライン２０を通って吸着装置から出て、次いで加熱器および／または熱交換器２１を通って、気相アルキル化反応器２２へ送られる。これはまた、さらなる芳香族原料を、ライン２３を通って供給される。これは、加熱器／熱交換器２４を経て送られ、十分な熱が、反応体を、反応器２２におけるアルキル化に必要な温度にするために提供される。反応器２２においては、より軽質のオレフィン（主にエチレン）が、芳香族を固定床接触気相反応でアルキル化するのに用いられる。これは、好ましくは、ＺＳＭ−５などの中間細孔径のゼオライトを含む触媒により行われる。これは、反応器１０における液相反応に好都合なＭＷＷタイプのゼオライトより、エチレンの転化に対して活性がある。アルキル芳香族生成物は、ライン２５を経て、反応器２２から分留装置１６へ送られる。これは、両アルキル化反応器に対して共通の分留装置として資する。
【００４１】
触媒系
本方法の液相アルキル化で用いられる触媒系は、好ましくは、ＭＷＷ系のゼオライトに基づくものである。何故なら、これらの触媒は、軽質オレフィン（特にプロピレン）を用いる所望の芳香族アルキル化反応に優れた活性を示すからである。しかし、この液相アルキル化に対して、他のモレキュラーシーブ触媒を用いることは可能である。これには、精油所ベンゼンおよびプロピレンからの石油化学クメンの製造のための（特許文献１２）および（特許文献１３）に記載されるＺＳＭ−１２に基づく触媒、（特許文献１５）に記載されるゼオライトベータに基づく触媒、または（特許文献１６）に記載されるＳＳＺ−２５に基づく触媒が含まれる。これらは全て、プロピレンによる軽質芳香族のアルキル化に対して活性を有すると報告される。
【００４２】
ＭＷＷゼオライト
ゼオライト物質のＭＷＷ系は、独特の興味ある触媒特性を示す特徴的な骨格構造を有することが認められている。ＭＷＷトポロジーは、二つの独立した細孔系からなる。すなわち、互いに第二の二次元細孔系によって分離されるシヌソイド１０員環［１０ＭＲ］の二次元通路である。これは、互いに、１０ＭＲ窓により接続される１２ＭＲスーパーケージからなる。ＭＷＷ骨格の結晶系は、六方晶系であり、分子は、ゼオライトの［１００］方向に沿って放散する。すなわち、ｃ方向に沿ったつながりは、細孔間にはない。ＭＷＷタイプのゼオライトの六方晶系の板状結晶においては、結晶は、ｃ方向に沿って、比較的小さな単位数で形成される。その結果、殆どの触媒活性は、コップ型の空隙の形態の結晶の外側表面上に配置される活性点による。ＭＣＭ−２２などの系のあるものの内部構造においては、コップ型の空隙は、結合して、スーパーケージが形成される。ゼオライトのＭＣＭ−２２系は、（非特許文献１）によるその最初の発表以来、かなりの科学的注目を引いた。その後の認識では、系には、多数のゼオライト物質（ＰＳＨ−３、ＭＣＭ−２２、ＭＣＭ−４９、ＭＣＭ−５６、ＳＳＺ−２５、ＥＲＢ−１、ＩＴＱ−１、およびその他など）が含まれる。（非特許文献２）である。
【００４３】
ＭＣＭ−２２系の種々のものの間の関係は、多数の出版物に記載されている。系の三つの重要なものは、ＭＣＭ−２２、ＭＣＭ−３６、ＭＣＭ−４９、およびＭＣＭ−５６である。シリカ、アルミナ、ナトリウム、およびヘキサメチレンイミンの素材を含む混合物から、有機テンプレートとして最初に合成される場合には、最初の生成物は、最初の合成混合物のシリカ：アルミナ比によって、ＭＣＭ−２２前駆体またはＭＣＭ−５６であろう。シリカ：アルミナ比２０超では、Ｈ結合された垂直配置層を含むＭＣＭ−２２前駆体が、製造される。但し、ＭＣＭ−５６のランダム配向された非結合層は、より低いシリカ：アルミナ比で製造される。これらの物質はいずれも、柱状化剤を用いることによって、膨潤された物質へ転化されてもよい。焼成時には、これは、ＭＣＭ−３６の積層柱状構造をもたらす。合成されたままのＭＣＭ−２２前駆体は、直接に、焼成によってＭＣＭ−２２へ転化されることができる。これは、焼成ＭＣＭ−４９（ランダム配向された合成されたままのＭＣＭ−５６の結晶化によって得られる中間生成物）と同一である。ＭＣＭ−４９においては、層は、焼成ＭＣＭ−２２／ＭＣＭ−４９物質中に見出されるものより、わずかに大きな層間隔を有して、共有結合で結合される。未合成のＭＣＭ−５６は、それ自体、焼成されて、焼成ＭＣＭ−５６が形成されてもよい。これは、積層構造よりむしろ、ランダム配向された構造を有して、焼成ＭＣＭ−２２／ＭＣＭ−４９とは異なる。特許文献においては、ＭＣＭ−２２は、（特許文献２０）、同様に（特許文献２１）、（特許文献２２）、および（特許文献２３）に記載される。ＭＣＭ−４９は（特許文献２４）に、ＭＣＭ−３６は（特許文献２５）に、ＭＣＭ−５６は（特許文献２６）に記載される。
【００４４】
触媒系のＭＷＷ成分として用いるのに好ましいゼオライト物質は、ＭＣＭ−２２である。ＭＣＭ−２２は、新規（すなわち、以前に触媒として用いられていない）で用いられてもよいか、または別に、再生ＭＣＭ−２２が用いられてもよいことが見出されている。再生ＭＣＭ−２２は、それが、適切であると知られる接触プロセスのいかなるものにも用いられた後に用いられてもよい。しかし、本縮合プロセスで非常に効果的であると見出された再生ＭＣＭ−２２の一形態は、以前に、アルキル化およびアルキル交換などの反応を通常に用いて、エチルベンゼンまたはクメンなどの芳香族を製造するのに用いられるＭＣＭ−２２である。クメンの製造（アルキル化）プロセスは、（特許文献２７）（クシュネリック（Ｋｕｓｈｎｅｒｉｃｋ）ら）に記載される。エチルベンゼンの製造プロセスは、（特許文献２８）（キーオン（Ｋｅｏｗｎ））、（特許文献２９）（クレスギー（Ｋｒｅｓｇｅ））、および（特許文献３０）（ハーグ（Ｈａａｇ））に記載され、（特許文献３１）、（特許文献３２）、（特許文献３３）、（特許文献３４）、および（特許文献３５）は、ＰＳＨ−３またはＭＣＭ−２２などのＭＷＷゼオライトを含む触媒による、種々のアルキル化剤を用いる芳香族化合物のアルキル化を記載する。（特許文献３６）は、ＭＣＭ−２２によるエチルベンゼンの液相合成を記載する。
【００４５】
ＭＣＭ−２２触媒は、従来の空気酸化技術によるクメン、エチルベンゼン、および他の芳香族製造プロセスにおける触媒の使用の後に、再生されてもよい。これは、他のゼオライト触媒と共に用いられるのと類似である。
【００４６】
中間細孔径のゼオライト
上記に示されるように、異なる条件を用いて第二のアルキル化工程を行って、オレフィン原料（主にエチレン）のより軽質の部分が、さらなる芳香族原料と反応されることが望ましくてもよい。この場合には、反応は、好ましくは、ＺＳＭ−５などの中間細孔径のゼオライトを含む異なるモレキュラーシーブ触媒（エチレン／芳香族のアルキル化に対してより活性がある）を用いて、気相で、より高い温度条件下で行われる。ゼオライトのこの系は、一般に、有効細孔径約０．７ｎｍ未満によって、および／または１０員環によって形成される結晶構造内の細孔窓によって特徴付けられる。名称「中間細孔径」とは、モレキュラーシーブがＨ型である場合に、当該ゼオライトが、一般に、約０．５〜０．６５ｎｍの範囲の有効細孔開口を示すことを意味する。ゼオライトの有効細孔径は、標準的な吸着技術、および既知の最小動力学的直径を有する化合物を用いて測定されることができる。（非特許文献３）、および（非特許文献４）を参照されたい。
【００４７】
メジウムまたは中間細孔ゼオライトは、ＺＳＭ−５、ＺＳＭ−１１、ＺＳＭ−２３、ＺＳＭ−３５、ＺＳＭ−４８、およびＴＭＡ（テトラメチルアンモニウム）オフレタイトの構造を有するゼオライトによって表される。これらの内で、ＺＳＭ−５およびＺＳＭ−１１が、機能的な理由で好ましく、一方ＺＳＭ−５は、商業的規模で、多くの供給業者から最も容易に入手可能なものであることから、好ましい。
【００４８】
本方法で用いられる触媒の二つのゼオライト成分の活性は、重要である。ゼオライト触媒の酸活性は、好都合に、（非特許文献５）に記載されるアルファ値の尺度によって定義される。この本文には、ゼオライト触媒は、該出版物に規定される条件下で、ヘキサンと接触され、分解されるヘキサンの量が、測定される。この測定から、触媒を、ヘキサンに対するその分解活性について特徴付ける「アルファ」値が計算される。このアルファ値は、ゼオライトの活性レベルを定義するのに用いられる。本方法の目的に対して、触媒は、アルファ値約１．０超を有するべきである。すなわち、それが、アルファ値約０．５以下を有する場合には、実質的に、ヘキサンを分解する活性がないとみなされるであろう。好ましくはエチレン／芳香族反応に対して用いられるＺＳＭ−５タイプの中間細孔径のゼオライトのアルファ値は、好ましくは、少なくとも１０、またはそれ超である。例えば、５０〜１００、またはそれより高くさえある。好ましくは液相反応で用いられるＭＷＷゼオライトのアルファ値は、少なくとも１の値が、認識できるくらいの活性に必要とされる（１０を超えるより高い値が好ましい）ものの、あまり重要ではない。
【００４９】
触媒の母材
ゼオライト成分に加えて、触媒は、通常、母材物質または結合剤を含んで、適度な強度が触媒に与えられ、同様に所望の多孔度特性が触媒に提供されるであろう。高活性触媒は、しかし、適切な押出し成形技術（例えば、（特許文献３７）に記載される）を用いることによって、結合剤を含まない形態で処方されてもよい。用いられる際には、母材物質には、適切には、アルミナ、シリカ、シリカアルミナ、チタニア、ジルコニア、およびモレキュラーシーブ触媒を処方する際に一般に用いられる他の無機酸化物物質が含まれる。本方法で用いるためには、仕上げ母材化触媒におけるＭＣＭ−２２またはＺＳＭ−５タイプ（中間細孔径）のゼオライトのレベルは、典型的には、２０〜７０重量％、殆どの場合には２５〜６５重量％であろう。母材化触媒を製造するに際しては、活性成分は、典型的には、触媒および母材の懸濁水溶液を用いて、母材物質と混練りされるであろう。その後、活性成分および母材は、所望の形状（例えば円筒形、中空円筒形、三つ葉形、四つ葉形等）に押出し成形される。クレーなどの結合剤物質が、混練り中に添加されて、押出し成形が促進され、最終触媒物質の強度が増大され、かつ他の望ましい固体状態特性が付与されてもよい。クレーの量は、通常、全仕上げ触媒の１０重量％を超えないであろう。非結合（または別に、自己結合）の触媒は、適切には、（特許文献３８）に記載される押出し成形方法によって製造される。それに、方法、およびその使用によって得られる押出し成形生成物の説明が、引用される。そこに記載される方法は、高い束縛強度を有する押出し成形物が、従来の押出し成形装置で製造されることを可能にする。したがって、該方法は、顕著に、シリカ−リッチの触媒を製造するのに適する。触媒は、ゼオライトを、水酸化ナトリウムなどの塩基性物質０．２５〜１０重量％の存在下に、固体レベル２５〜７５重量％まで、水と混練りすることによって製造される。さらなる詳細は、（特許文献３８）に見出されるべきである。
【００５０】
生成物の形成
アルキル化プロセスにおいては、多数のメカニズム的に異なる反応が起こる。原料中のオレフィンは、芳香族原料中の単環芳香族と反応して、高オクタン価の単環アルキル芳香族が形成される。前記されるように、エチレン−芳香族アルキル化反応は、中間細孔径のゼオライト触媒により促進され、一方プロピレン−芳香族反応は、ＭＷＷゼオライト触媒により促進される。
【００５１】
芳香族およびオレフィンの間のアルキル化およびアルキル交換反応の本質的な反応は、実質的には、小程度のオレフィンオリゴメリゼーションより優勢であろう。これは、芳香族が、容易に触媒上に収着し、優先的にオレフィンの自己縮合反応を起こす触媒点を占めることから生じる。これは、恐らくは、十分な芳香族が存在する限り生じない。反応速度および熱力学的見地はまた、直接的なオレフィン−芳香族反応を促進する。含まれるメカニズムが何であれ、しかし、アルキル芳香族生成物の範囲は、変動する炭素数と共に予期されることができる。
【００５２】
目的は、通常、炭素数１４以下、好ましくは１２以下を有する生成物を製造することである。何故なら、最も価値のあるガソリン炭化水素は、ＲＶＰを含む揮発性および変動する条件化でのエンジン運転の観点からＣ７〜Ｃ１２であるからである。ジおよびトリアルキル化は、したがって好ましい。何故なら、通常のＣ２、Ｃ３、およびＣ４オレフィン、および芳香族原料中の支配量のベンゼンにより、炭素数約１０〜１４を有するアルキル芳香族生成物が、容易に達成可能であるからである。原料組成、運転条件、および装置のタイプにより、生成物群は、経験的に決定されるいかなる任意の生成物分布に対しても、最適条件と共に変化されてもよい。
【００５３】
最終の反応器流出物ストリームからのライトエンドの分離の後、ガソリン沸点範囲の生成物は、ストリッパーまたは分留装置から得られる。高オクタン価アルキル芳香族のその含有量から、それは、通常、オクタン価少なくとも９２、およびしばしばより高いオクタン価（例えば９５または９８さえ）を有するであろう。この生成物は、プレミアムグレードのガソリン用製油所混合プールのための価値の高い混合成分を構成する。
【００５４】
プロセスパラメーター
本方法は、低・中圧で運転することが可能であるというその設備能力に対して、注目される。一般に、圧力約７，５００ｋＰａｇ（約１，１００ｐｓｉｇ）未満が、適切であろう。運転の便宜性および経済性の問題として、しかし、低・中圧約３，５００ｋＰａｇ（約５００ｐｓｉｇ）未満が好まれるであろう。これは、低圧装置の使用を可能にする。約７００〜１５，０００ｋＰａｇ（約１００〜２，１７５ｐｓｉｇ）、好ましくは１５００〜４，０００ｋＰａｇ（約２２０〜５８０ｐｓｉｇ）の範囲の圧力は、通常適切であろう。
【００５５】
液相運転においては、全体の温度は、約９０℃〜２５０℃（約１９５゜Ｆ〜４８０゜Ｆ）、通常２００℃（約３９０゜Ｆ）以下であろう。温度は、原料速度、および運転温度を制御するという通常の手段によって、または必要に応じて、希釈およびクウェンチによって制御されてもよい。さらなる気相工程が用いられる場合には、反応条件は、中間細孔径のゼオライトにより、推進められて、例えば２００℃〜３２５℃（約４００゜Ｆ〜６２０゜Ｆ）で所望のエチレン転化率が達成されるであろう。これは、（特許文献１９）（米国仮特許出願第６０／６５６，９４５号明細書（「気相アルキル化プロセス」）の優先権を主張する）に記載される。
【００５６】
オレフィン原料の空間速度は、通常、０．５〜５．０ＷＨＳＶ（時−１）、殆どの場合には０．７５〜３．０ＷＨＳＶ（時−１）であろう。１．０〜２．５ＷＨＳＶ（時−１）の範囲の値は、好都合の運転値である。芳香族原料／オレフィンの比は、原料の芳香族含有量によるであろう。本質的には、アルキル芳香族へ転化されるべきベンゼン含有量、ならびに実際に用いられる反応条件下における芳香族およびオレフィンの使用率によるであろう。通常、芳香族：オレフィン比は、重量で約０．５：１〜５：１、殆どの場合には重量で１：１〜２：１であろう。水素は、添加される必要はない。
【図面の簡単な説明】
【００５７】
【図１】混合軽質製油所オレフィンおよびベンゼンを、液相の固定床反応で、モーターガソリンへ転化するための芳香族アルキル化装置の処理概略図を示す。
【図２】混合軽質製油所オレフィンおよびベンゼンを、初期液相反応を伴う二段固定床反応で、モーターガソリンへ転化するための芳香族アルキル化装置の処理概略図を示す。
【図１】
2008531820.tif 000008
【図２】
2008531820.tif 000009
【国際調査報告】
2008531820.tif 000010